(57)【要約】【課題】比較的弱い力で綴り針による綴り込み操作が行え、しかも、耐久的なステープラーを提供する。【解決手段】基枠１の後端側に立設した支持部片１ａに後端部を主軸３で直接又は間接的に回動自在に枢着した操作枠５に針圧下鈑２１を設け、該針圧下鈑２１を前記操作枠５の回動に伴って降下させて該操作枠５と前記基枠１との間の針台４中の綴り針を１本宛打出して前記基枠１の針受盤２とで挟持した紙シートを綴り込むようにする。また、前記操作枠５の上方に、後端部を前記主軸３より上方にして前記支持部片１ａに回動自在に枢着したハンドル枠６を配置し、該ハンドル枠６の先後方向の中間部に一端を回動自在に枢着した仲介片２２の他の一端を前記操作枠５に回動自在に枢着する。【選択図】    図１
2005022037.tif 000002
【特許請求の範囲】
【請求項１】
基枠の後端側に立設した支持部片に後端部を主軸で直接又は間接的に回動自在に枢着した操作枠に針圧下鈑を設け、該針圧下鈑を前記操作枠の回動に伴って降下させて該操作枠と前記基枠との間に針台中の針を１本宛打出して前記基枠の針受盤とで挟持した紙シートを綴り込むようにしたものであって、前記操作枠の上方に、後端部を前記主軸より上方にして前記支持部片に回動自在に枢着したハンドル枠を配置し、該ハンドル枠の先後方向の中間部に一端を回動自在に枢着した仲介片の他の一端を前記操作枠に回動自在に枢着したステープラー。
【発明の詳細な説明】
【０００１】
【産業上の利用分野】
本発明は、比較的弱い力で綴り針による綴り込みを行うことのできるステープラーに関するものである。
【０００２】
【従来の技術】
操作枠、針台および基枠の３部材を後端側において互いに回動自在に枢着して操作枠の先端側に設けた針圧下片で針台に収容した綴り針を１本宛打出して基枠の先端側に備えた針受盤に押圧するようにして紙シートを綴るようにしたステープラーは具体例を挙げるまでもなく公知である。そして、この公知構造のステープラーの前記操作枠による針打出し操作を行うために、操作枠の外側にハンドル枠を設け、該ハンドル枠の先後方向の後端側の中間部に設けたピンを操作枠の中間部に設けた長孔に係合するようにしてハンドル枠を操作枠に連係させ、該ハンドル枠の先端側を押圧することによる綴り込み操作時に、前記ピン部を作用点とするてこ作用によって操作枠を回動するようにして綴り込み操作を行い、ハンドル枠の先端側を押す力が操作枠側に大きく現われていわば比較的弱い力で綴り針の打出し（綴り込み）操作を行えるようにしたものがある（例えば、特許文献１参照）。
【０００３】
【特許文献１】
特開２００２−２８８７７号公報
【０００４】
【発明が解決しようとする課題】
前記従来例は操作枠側に設けた長孔内をハンドル枠側に設けたピンを移動させ、かつ、長孔の縁部を押圧して操作枠を回動させて綴り針による綴り込み操作を行うため、ピンと長孔縁部とがいわば圧接し合い、永年に亘るその圧接により一方又は双方が変形するおそれがあり、また、変形によって綴り針に対する押圧力が自ら弱くなってステープラーとしての本来の機能が損われる可能性がある。
【０００５】
本発明は斯様な従来例の欠点をに着目し、比較的弱い力で綴り針による綴り込み操作を行える、斬新な構造のステープラーを提供すべく創案したものである。
【０００６】
【課題を解決するための手段】
基枠の後端側に立設した支持部片に後端部を主軸で直接又は間接的に回動自在に枢着した操作枠に針圧下鈑を設け、該針圧下鈑を前記操作枠の回動に伴って降下させて該操作枠と前記基枠との間に針台中の針を１本宛打出して前記基枠の針受盤とで挟持した紙シートを綴り込むようにしたものであって、前記操作枠の上方に、後端部を前記主軸より上方にして前記支持部片に回動自在に枢着したハンドル枠を配置し、該ハンドル枠の先後方向の中間部に一端を回動自在に枢着した仲介片の他の一端を前記操作枠に回動自在に枢着して構成するのである。
【０００７】
【発明の実施の形態】
図面は本発明に係るステープラーの実施形態を示し、図１は縦断面図、図２は図１のａ−ａ線断面図、図３は図１のｂ−ｂ線断面図、図４は綴り込み操作途中時の縦断面図、図５は綴り込み操作完了時の縦断面図、図６は針充填操作時の縦断面図、図７は第二実施形態の縦断面図、図８は第二実施形態の綴り込み操作完了時の縦断面図である。
【０００８】
【第一実施形態】
図１乃至図６の第一実施形態において、１は先端に針受盤２を備えた基枠で、この基枠１の後端に支持部片１ａ，１ａを相対して立設し、該支持部片１ａ，１ａに主軸３によって針台４と操作枠５を後端部において回動自在に枢着すると共に、ハンドル枠６を後端部において前記主軸３より上方に配した支軸７，７によって回動自在に枢着してある。
【０００９】
前記基枠１には後端に設けた部片８ａを該基枠１に組付けて該部片８ａ部を支点にして先端側が俯仰する紙受枠８を組付け、この紙受枠８の先端に設けた縦孔１０に、基枠１に設け、しかも、上面に綴り針の案内溝２ａを設けた前記針受盤２を係合し、この針受盤２側である前記基枠１の前方側には第一スプリング１１を配して基枠１と前記紙受枠８の先端側を互いに離開方向に、すなわち、紙受枠８の先端が上昇する方向に付勢させ、図１で示すように針台４による紙受枠８への押圧作用がないときは前記針受盤２の案内溝２ａ部が縦孔１０の中間位置に存するようにしてある。
【００１０】
図示１２は、紙受枠８の下側にして前記基枠１に係合組付けた規制枠で、規制枠１２はその後端と前記紙受枠８の、後端側の前記部片８ａとの間に介在させた第二スプリング１３の付勢によって先端側の枠部片１２ａが前記紙受枠８の先端部片８ｂの直下に位置して該部片８ｂを受支してその降下を規制するようにしてある。
【００１１】
また、規制枠１２は前記紙受枠８の後部側を介在して相対する立上り部片１２ｂ，１２ｂを備え、該立上り部片１２ｂに設けた突子１４を連けい材１５の脚部片１５ａに設けた傾斜長孔１６に係合し、この傾斜長孔１６の突子１４に沿う降下時に長孔縁部に突子１４が押圧されることによって前記第二スプリング１３の付勢に抗して後退し、この結果、該規制枠１２の枠部片１２ａが紙受枠８の部片８ｂ位置から外れるようになっている。
【００１２】
前記連けい材１５は、ほぼ溝形状の主体枠１５Ａで前記針台４の中間部を抱持するようにして該針台４に固着したもので、前記主体枠１５Ａに下側には前記脚部片１５ａを突設して前記突子１４と傾斜長孔１６の係合関係によって規制枠１２と連けいし、上側の後端側には前記針台４の上縁より突出するように受圧部片１５ｂを設け、受圧部片１５ｂは円弧上の前縁１５ｂ´を備え、該前縁１５ｂ´に沿って前記操作枠５の中間部に設けた押圧杆１７が降下しつつこれを押下し、この結果、受圧部片１５ｂを備えた連けい材１５が降下し、前記突子１４と傾斜長孔１６の係合関係により規制枠１２は第二スプリング１３の付勢に抗して前記の通り後退する。
【００１３】
前記針台４は、押送子１８を摺嵌して綴り針を前端の排出口１９へ送り込むようにした公知構造のもので（中間部に前記連けい材１５を組付けてある点は相違することは勿論）、後部側に前記基枠１の後部との間に介するようにして配した復帰スプリング２０によって基枠１との間隙を保持するようにしてあり、また、操作枠５は先端に針圧下鈑２１を備えた本体枠５Ａと該本体枠５Ａの内側に配した補助枠５Ｂとで成り、両枠５Ａ，５Ｂとの間に前記復帰スプリング２０よりばね性の強い第二復帰スプリング２２を備えた公知構造のもので、本体枠５Ａの中間部には、針台４側に設けた前記連けい材１５の受圧部片１５ｂの前端縁１５ｂ´に圧接する前記押圧杆１７を装置し、この押圧杆１７を枢軸として仲介片２２の一端を回動自在に組付けてある。
【００１４】
仲介片２２は、中央部片２２ｂに側部片２２ａ，２２ａを相対して連設したもので、側部片２２ａ，２２ａ間に前記操作枠５（本体枠５Ａ）の中間部を介在するようにして該側部片２２ａ，２２ａの一端側を押圧杆１７によって前記の通り、操作枠５に回動自在に枢着し、側部片２２ａ，２２ａの他の一端側は前記押圧杆１７より後方上方（ステープラーとしての使用状態時における）に配置して、後端（基端）部を支軸７によって基枠１の支持部片１ａの上方に回動自在に枢着した前記ハンドル枠６の側部片６ｂ，６ｂ間に介在させて枢軸２３によって回動自在に枢着してある。
【００１５】
ハンドル枠６は、前記側部片６ｂ，６ｂと該側部片６ｂ，６ｂを長手方向（先後方向）に沿って相対設した中央部片６ａとで成り、側部片６ｂ，６ｂの後端部（基端部）のそれぞれを互いに同軸線上に配した支軸７，７によって基枠１の対応する支持部片１ａ，１ａに回動自在に枢着され、中間部を後方上りに傾斜させて該中間部と操作枠５の中間部との間に介在させた仲介片２２によって受支され、先端側が操作枠５と離開して位置するようにしてある。
【００１６】
しかして、支軸７，７を中心にしてハンドル枠６の先端側を基枠１方向に押下すると、ハンドル枠６は枢軸２３および仲介片２２を介して押圧杆１７を押下し、押圧杆１７は操作枠５の主体枠５Ａに取付けてあるので主体枠５Ａは主軸３を支点に回動降下しようとするが、第二復帰スプリング１３より第一スプリング１１の方がばね性が弱いため、主体枠５Ａ単独の降下より前に主体枠５Ａを含む操作枠５と針台４が主軸中心に回動降下する。そして、この回動降下と同時に針台４に設けた連けい材１５も降下することになり、該連けい材１５の脚部片１５ａに備えた傾斜長孔１６部も降下し、該長孔１６部は予め設計した傾斜角度によって突子１４を押圧することになり、突子１４を備えた規制枠１２は第二スプリング１３の付勢に抗して後退し、紙受枠８の先端部片８ｂの直下に空間が形成されることになる。この状態のとき、押圧杆１７によって押下された針台４の先端側は紙受枠８を押下し、紙受枠８の先端側は第一スプリング１１の付勢に抗して降下して基枠１に設けた針受盤２の案内溝２ａ部は紙受枠８の縦孔１０の上端位置に相対的に突出する。そして、ハンドル枠６の支軸７を中心とする回動操作の継続により、紙受枠８に対する圧接により針台４の回動降下が規制されると同時に、第二復帰スプリング２０の付勢に抗して操作枠５が主軸３を中心とする回動を続けて降下し、この結果、針圧下鈑２１は針台４中の針を排出口１９から打出し紙受枠８と針台４とで挟持した紙シートを貫いた針を針受盤２に押圧し、これを水平状に折り曲げ紙シートの綴り込み操作が行われ、この一連の動作において、ハンドル枠６はその先端側を針台４等が介在する基枠１方向に押下することにより後端（基端）側の支軸７を支点として回動し、その押下（回動）操作が前記先端側と支軸７の間の枢軸２３部にいわば作用点となって現われ、いわば、てこの原理によってハンドル枠６に対する軽い押圧力が操作枠５等に大きな押下力となって現われ、針の綴り込み操作を簡便に行えることとなるのである。
【００１７】
なお、図６は、針台４に綴り針を装填するときの状態を示しているが、この状態時にハンドル枠６の枢軸２３は操作枠５の上面に設けた凹溝２４に係合してハンドル枠６の支軸７を中心とする回動を規制する。
【００１８】
図中、２６は基枠１の樹脂カバー、２６´はハンドル枠６の樹脂カバーである。
【００１９】
【第二実施形態】
図１乃至図６で示す前記第一実施形態は携帯用ステープラーに本発明を適用したものであるが、図７および図８で示すものは、卓上用ステープラーに本発明を適用したもので、この第二実施形態は、針受盤８０を備えた基枠８１の後端側に大、小の支持部片８１ａ，８１ａ´を相対して立設し、後方側の小さな支持部片８１ａ´に第一主軸８２によって支持枠８３を後端部において回動自在に枢着し、支持枠８３の中間部上方位置には第二主軸８２´によって操作枠８４を後端部において回動自在に枢着し、また、前記大きな支持部片８１ａの上端部には前記第一、第二の主軸８２，８２´より上方に配した支軸８５によってハンドル枠８６を後端部において回動自在に枢着してある。
【００２０】
なお、図示の通り、一方の支持部片８１ａは基枠８１の先後方向の中間位置に配し、ハンドル枠８６を組付けた支軸８５を基枠８１の先後方向の中央よりに配するようにして、ハンドル枠８６の支軸８５を中心とする回動操作時に生じる押下荷重を基枠８１の中央側で受けるようにして当該基枠８１の動きを規制して前記回動操作を支障なく行えるようにしてある。
【００２１】
前記支持枠８３は、該支持枠８３の後部において支持枠８３と基枠８１との間に介在させた第一復帰スプリング８７によって水平状態を保持されるようにしてあり、その下面側に針台８８を組付けてあり、針台８８は綴り針装填時には支持枠８３の前方へと引き出せるようにしてあり、この針台８８の針排出口（図示省略）を出入する針圧下鈑８９を該針排出口の直上に配置してある。
【００２２】
針圧下鈑８９は、前記操作枠８４に設けた円弧状切欠９０にピン９１を移動自在（相対的）に係合して支持させた圧下鈑ホルダー８９Ａに止着したもので、圧下鈑ホルダー８９Ａは中間部に設けた縦長長孔９３に前記支持枠８３の先端側上端部に支持させた案内ピン９４を貫通係合させて定位置を縦動するようにしてあり、支持枠８３と操作枠８４との間に介在させた第二復帰スプリング９５（第一復帰スプリング８７より弾性力のある）に抗して前記第二支軸８２´を支点に操作枠８４を回動させたとき、前記円弧状切欠９０の縁部がピン９１に沿って移動しつつ、これを押下し、その結果、ホルダー８９Ａは降下し、同時に針圧下鈑８９は降下し針台８８中の綴り針を打出すのである。
【００２３】
前記操作枠８４は中央部片８４Ａ´と該中央部片８４Ａ´に相対して連設した側部片８４Ａ´´，８４Ａ´´とで成る主体枠８４Ａの内側に、中央部片８４Ｂ´と該中央部片８４Ｂ´に相対して連設した側部片８４Ｂ´´，８４Ｂ´´とで成る補助枠８４Ｂを配して中央部片８４Ａ´，８４Ｂ´同士を互いに止着して構成したもので、補助枠８４Ｂの前記側部片８４Ｂ´´，８４Ｂ´´に前記円弧状切欠９０を設けてピン９１を介して圧下鈑ホルダー８９Ａ乃至針圧下鈑８９に連けいさせ、中央部片８４Ｂ´部に一端を操作枠８４に設けた受圧片９６に係止した前記第二復帰スプリング９５の他の一端を係止、取付けてある。
【００２４】
そして、操作枠主体枠８４Ａの側部片８４Ａ´´，８４Ａ´´の一端間に前記支持枠８３の上部の中間部を介在させるようにして該一端部を第二支軸８２´によって前記の通り支持枠８３に回動自在に枢着し、この枢着部である前記一端に対応する他の一端部に仲介片９７の一端を接続軸９８で回動自在に枢着してある。
【００２５】
仲介片９７は第一実施形態の仲介片２２と同様に、中央部片９７ｂに側部片９７ａ，９７ａを相対して連設したもので、側部片９７ａ，９７ａ間に操作枠８４の先端部を介在するようにして該側部片９７ａ，９７ａの一端側を前記の通り接続軸９８によって操作枠８４に回動自在に枢着し、側部片９７ａ，９７ａの他の一端は前記ハンドル枠８６の側部片８６ａ，８６ａ間の中間部に介在させて接続軸９８´によって回動自在に枢着したものである。
【００２６】
ハンドル枠８６は、前記側部片８６ａ，８６ａと該側部片８６ａ，８６ａを長手方向（先後方向）に沿って相対設した中央部片８６ｂとで成り、後端部（基端部）を前記の通り、支軸８５によって基枠８１の支持部片８１ａ，８１ａの上端部に回動自在に枢着したものである。
【００２７】
しかして、支軸８５を中心にしてハンドル枠８６の先端側を基枠８１方向に押下すると、ハンドル枠８６は仲介片９７を介して操作枠８４を第二主軸８２´を中心にして操作枠８４を回動降下させようとして第二復帰スプリング９５を押圧する。この第二復帰スプリング９５より第一復帰スプリング８７の方がばね性が弱いため、第二復帰スプリング９５の押圧によって針台８８を組付けた支持枠８３は第一主軸８２を支点に回動させ、針台８８の排出口側の先端は降下して針受盤８０と重なり合って被綴り込み体である紙シートを挟持することになる。そして、ハンドル枠８６の押下操作の継続によって前記第二復帰スプリング９５は縮小して仲介片９７に押圧された操作枠８４は第二主軸８２´を支点にして回動し、その回動に伴って操作枠８４に設けた切欠９０の縁部がピン９１を押下し、該ピン９１を備えたホルダー８９Ａは降下し、ホルダー８９Ａに取付けた針圧下鈑８９は降下し、針台８８中の綴り針を打ち出し、針台８８先端と針受盤８０とで挟持した紙シートを綴り込むのである。この一連の動作においてハンドル枠８６はその先端側を針台８８等が介在する基枠８１方向に押下することにより後端（基端）側の支軸８５を支点として回動し、その押下（回動）操作が前記先端側と支軸８５の間の接続軸部にいわば作用点となって現われ、いわばてこの原理によってハンドル枠８６に対する小さな押圧力が操作枠８４等に対して大きな押下力となって現われ針の綴り込み操作をハンドル枠８６のない操作枠で行うステープラーと比較し簡便に行えることになるのである。
【００２８】
【発明の効果】
本発明は前記の通りの構成であるから、ハンドル枠に対する押圧力が大きな力となって綴り針による綴り込み操作に現われることになるから、綴り込み操作を比較的円滑に行うことができる。
【００２９】
また、ハンドル枠に対する押圧操作はいわばリンク機構を通じて針圧下鈑に現われるから、無理な力を部材に与えることなく耐久的な製品を提供できる。
【図面の簡単な説明】
【図１】縦断面図。
【図２】図１のａ−ａ線断面図。
【図３】図１のｂ−ｂ線断面図。
【図４】綴り込み操作途中時の縦断面図。
【図５】綴り込み操作完了時の縦断面図。
【図６】針充填操作時の縦断面図。
【図７】第二実施形態の縦断面図。
【図８】第二実施形態の綴り込み操作完了時の縦断面図。
【符号の説明】
１      基枠
２      針受盤
３      主軸
４      針台
５      操作枠
６      ハンドル枠
２１    針圧下鈑
２２    仲介片
【図１】
2005022037.tif 000003
【図２】
2005022037.tif 000004
【図３】
2005022037.tif 000005
【図４】
2005022037.tif 000006
【図５】
2005022037.tif 000007
【図６】
2005022037.tif 000008
【図７】
2005022037.tif 000009
【図８】
2005022037.tif 000010